(57)【要約】【課題】メッシュ部材のような消音効果のための別部品を組み込まなくても効果的に通水音に対し消音効果を発揮するシングルレバー水栓を提供する。【解決手段】シングルレバー水栓において、単一の部材にて構成した可動弁体４８の混合室６６を、摺動面から立ち上がる縦の壁１１４と天井部１１６とを有する形状をなし、そして縦の壁１１４の内面に全周に亘って摺動面側の下端から上向きに延びる複数の凸条１１８を縦の壁１１４の内面に沿って設けておく。【選択図】        図３
2010084797.tif 000002
【特許請求の範囲】
【請求項１】
固定弁体と、レバーハンドルの操作により該固定弁体上を摺動する可動弁体とを有し、該固定弁体の貫通の水と湯の流入口からの水，湯を該可動弁体に設けた混合室に流入させて混合し、該混合室から混合水を該固定弁体の貫通の流出口から流出させるシングルレバー水栓において
前記混合室は、単一部材にて構成された前記可動弁体における摺動面から立ち上がる縦の壁と天井部とを有する形状をなしており、少なくとも前記水の流入口及び湯の流入口の側において、該混合室の該縦の壁の内面に、前記摺動面側の下端から上向きに延びる凸条又は凹条が該縦の壁の内面に沿って周方向に複数設けてあることを特徴とするシングルレバー水栓。
【発明の詳細な説明】
【技術分野】
【０００１】
この発明はシングルレバー水栓に関し、詳しくは通水音の低減のための技術手段に特徴を有するものに関する。
【背景技術】
【０００２】
従来、単一のレバーハンドルの操作によって、吐止水と吐水量調節及び吐水の温度調節を行うシングルレバー水栓が広く使用されている。
このシングルレバー水栓は、固定弁体と、レバーハンドルの操作により固定弁体上を摺動する可動弁体とを有し、固定弁体の貫通の水の流入口，湯の流入口からの水，湯を可動弁体に設けた混合室に流入させて混合し、混合室から混合水を固定弁体の貫通の流出口から流出させる。
このシングルレバー水栓において、可動弁体側の混合室は、可動弁体における摺動面から立ち上がる縦の壁と天井部とを有する形状とされている。
【０００３】
このシングルレバー水栓にあっては、吐水時に弁部を通過する水によって通水音が生ずることがあり、これが従来から問題視されていた。
このような通水音が生じると使用者に不快感を与えてしまう。
【０００４】
この問題に対する対策として、従来、可動弁体の混合室にこれを横切る状態にメッシュ部材を設け、そのメッシュ部材の整流作用により、通水音の発生を防止ないし低減することが行われている。
例えば下記特許文献１には、対策の一例としてこのようにメッシュ部材を設けることが従来行われている点の指摘がなされている。
【０００５】
しかしながらこのように可動弁体の混合室にメッシュ部材を取り付ける場合、部品としてのメッシュ部材が余分に必要となるのに加えて、このようなメッシュ部材を可動弁体の混合室に取り付ける作業が必要となり、且つその取付作業は面倒な作業となる。
【０００６】
加えてこのようなメッシュ部材を可動弁体の混合室に設けた場合、微細な砂等の異物によってメッシュ部材が目詰まりを生じる問題があり、またメッシュ部材に付着した砂等が固定弁体と可動弁体との摺動面に噛み込んでしまって、通常セラミックディスクから成る固定弁体と可動弁体との摺動面が傷付けられてしまうといった問題が生ずる。
更にこのようなメッシュ部材を可動弁体に取り付ける場合、必然的に可動弁体及び固定弁体が大型化してしまう問題も生ずる。
尚可動弁体の混合室にこのようなメッシュ部材を設ける点については下記特許文献２にも開示されている。
【０００７】
特許文献１には、通水音の防止ないし低減を目的として、上記メッシュ部材を可動弁体の混合室に設けるのに代えて、混合室の縦の壁から離れた位置において、混合室の天井部から薄板状をなす複数の整流体を混合室に向けて突出させる状態に垂下させるようになした点が開示されている。
但し本発明者が実験をしたところ、こうした手段では通水音の消音効果において十分ではなかった。
【０００８】
またこのように天井部から垂下する形状で多数の突起を設けた場合、そこで水や湯等に含まれている砂等の異物が詰まりを生じ易い問題も有する。
尚このように混合室の天井部に通水音の消音の目的で複数の突起を設ける点については下記特許文献３にも開示されている。
【０００９】
【特許文献１】特開平６−１２９５５３号公報
【特許文献２】特開２００７−５６９８３号公報
【特許文献３】特開昭５３−１１４５３２号公報
【発明の開示】
【発明が解決しようとする課題】
【００１０】
本発明は以上のような事情を背景とし、メッシュ部材のような消音効果のための別部品を組み込まなくても効果的に通水音に対し消音効果を発揮するシングルレバー水栓を提供することを目的としてなされたものである。
【課題を解決するための手段】
【００１１】
而して請求項１のものは、固定弁体と、レバーハンドルの操作により該固定弁体上を摺動する可動弁体とを有し、該固定弁体の貫通の水と湯の流入口からの水，湯を該可動弁体に設けた混合室に流入させて混合し、該混合室から混合水を該固定弁体の貫通の流出口から流出させるシングルレバー水栓において、前記混合室は、単一部材にて構成された前記可動弁体における摺動面から立ち上がる縦の壁と天井部とを有する形状をなしており、少なくとも前記水の流入口及び湯の流入口の側において、該混合室の該縦の壁の内面に、前記摺動面側の下端から上向きに延びる凸条又は凹条が該縦の壁の内面に沿って周方向に複数設けてあることを特徴とする。
【発明の作用・効果】
【００１２】
以上のように本発明は、少なくとも固定弁体における水，湯の流入口の側において、混合室の縦の壁の内面に可動弁体における摺動面側の下端から上向きに延びる凸条又は凹条を縦の壁の内面に沿って周方向に複数設けたものである。
【００１３】
可動弁体の混合室に向って、固定弁体の水，湯の流入口を通り抜けた水，湯は、先ず可動弁体の摺動面、つまり可動弁体の底面に勢い良く当った後、混合室の入口つまり混合室の下端から混合室内に流れ込み、そこで圧力解放される。
【００１４】
このとき、それまで整流状態であった水，湯の流れが、混合室に流入すると同時に乱流化し、そしてその乱流の発生と、上記の圧力解放による圧力低下とによって（現実に混合室の縦の壁近傍部分では圧力が大きく低下することが確認されている）キャビテーションが起り、これによる泡の発生と泡の破裂（破泡）とによって、上記の通水音が発生するものと考えられる。
【００１５】
ここにおいて本発明は、水，湯が可動弁体の底面（摺動面）に当った後、混合室へと入り込む際の流動壁面となる混合室の縦の壁の内面に沿って、且つその下端から上向きに延びる形態で凸条又は凹条を周方向に複数設けたもので、このようにすることにより、通水音を効果的に防止ないし軽減できることを確認した。
【００１６】
このような縦の複数の凸条又は凹条によって通水音を防止ないし軽減できるのは、混合室内に入り込み、縦の壁に沿って流れる水又は湯の流れに対し、それら複数の凸条又は凹条が流れを案内し整流化させる働きをなし、その結果として混合室内における流れの乱流化を抑制し、またこれに伴ってキャビテーションによる泡の発生と泡の破裂とを低減し、結果として通水音を効果的に防止ないし低減できるものと考えられる。
【００１７】
本発明においては、混合室の縦の壁の内面に沿って凸条又は凹条を設けておくだけでよく、従来のようにメッシュ部材を混合室に設けなくても良いため、通水音低減のために別途の部材を特に必要としたり、これを可動弁体に組み付けたりする必要もない。
またそのメッシュ部材に付着した微細な砂等が可動弁体と固定弁体との摺動面に噛み込んで、それら弁体を傷付けてしまうといった問題も回避することができる。
またそのようなメッシュ部材を設けることによって、可動弁体及び固定弁体が大型化してしまう問題も解消することができる。
【００１８】
混合室の縦の壁の下端は、固定弁体の流入口を通過し、可動弁体の底面に当った水，湯の流れが混合室に入り込んで乱流化する始まりの部位であり、従って流れの整流部となる凸条又は凹条を、その下端の位置から延出させておくことにより、混合室内に流れ込む水，湯の流れを初期から整流化し得て、混合室内における乱流化を効率高く抑制することが可能となる。
【発明を実施するための最良の形態】
【００１９】
次に本発明の実施形態を図面に基づいて詳しく説明する。
図１において、１０はシングルレバー水栓で、１２は水栓本体である。
水栓本体１２は、取付穴１４においてカウンタ１６に取り付けられている。
水栓本体１２は、その内部に後述の弁ユニット（弁カートリッジ）３０を収容しており、また上部にはレバーハンドル１８が設けられていて、そのレバーハンドル１８が弁ユニット３０に作動的に連結されている。
【００２０】
２０は、水栓本体１２に水，湯を流入させるための流入管で、ここではその流入管２０が可撓管にて構成されている。
２２は、水栓本体１２から水，湯若しくは混合水（以下単に混合水とする）を流出させる流出管で、ここではこの流出管２２が銅管から成っている。
この流出管２２の下端部には可撓性のホースを介して図示を省略する吐水部が接続されている。
【００２１】
図１において、２４は水栓本体１２の本体ボデーをなすハウジングで、円筒状をなす樹脂製の周壁２６と、これとは別体をなす金属製の底部２８とを有しており、その内部に弁ユニット３０を収容状態で保持している。
樹脂製の周壁２６からは、同じく樹脂製の挿通部３２が一体に図中下向きに延び出している。
【００２２】
挿通部３２は、取付穴１４を下向きに挿通し、そしてその外周面に形成された雄ねじに、カウンタ１６の裏側で締結ナット３４がねじ込まれ、上記周壁２６の下面をカウンタ１６に着座させる状態に、ハウジング２４を三角パッキン３６を介してカウンタ１６に締結固定している。
【００２３】
上記底部２８には水，湯の流入通路３８及び混合水の流出通路４０が形成されており、そしてその流入通路３８に内部を連通させる状態で上記の流入管２０が底部２８に対してねじ結合され、また流出通路４０に内部を連通させる状態で上記の流出管２２が溶接にて接合されている。
４２は円筒状をなす化粧カバーで、この化粧カバー４２によってハウジング２４が後述の固定ナット４４とともに外側から覆われている。
【００２４】
図３及び図４に、弁ユニット３０の構成が組付状態で周辺部とともに示してある。
尚図３は止水状態を表しており、また図４は吐水状態（弁部全開状態）を表している。
これらの図に示しているように、弁ユニット３０はセラミックディスクから成る固定弁体４６と、固定弁体４６上を摺動する、セラミックディスクから成る可動弁体４８、及び可動弁体４８の上面に組み付けられたディスクキャップ５０とを有しており、それらが弁ケース５２内に収容されている。
【００２５】
弁ケース５２は、図中上側のケース本体５４と、下側の底蓋５６との２分割構造とされており、それらが上下に組み合され弁ケース５２を構成している。
詳しくは、ケース本体５４には係止孔５８が設けられ、また一方底蓋５６には対応する位置に係止爪６０が設けられ、それら係止孔５８と係止爪６０との係合作用によって、ケース本体５４と底蓋５６とが互いに組み付けられている。
【００２６】
固定弁体４６には水，湯の流入口６２が設けられており、また底蓋５６には、これら流入口６２及び上記の底部２８の流入通路３８に連通する状態で水，湯の流入通路６３が設けられている。
固定弁体４６にはまた、別の位置に混合水の流出口６４が設けられ、更に底蓋５６には、この流出口６４及び底部２８の流出通路４０にそれぞれ連通する状態で、混合水の流出通路６５が設けられている。
【００２７】
一方可動弁体４８には、固定弁体４６の流入口６２から流入した水と湯とを混合する混合室６６が形成されている。
混合室６６内の混合水は、固定弁体４６の流出口６４及び底蓋５６の流出通路６５を通じて、底部２８の流出通路４０へと流出し、流出管２２を通じて吐水部へと送られる。
尚、固定弁体４６と底蓋５６との間はゴム等の弾性を有するシール部材６８にて水密にシールされ、また底蓋５６と底部２８との間は同じくゴム等の弾性を有するシール部材７０にて水密にシールされている。これらシール部材６８，７０は断面形状が図中上下方向に長い矩形状をなしている。
【００２８】
ここで底蓋５６の図中下面には嵌込凹所１００が設けられていて、そこにシール部材７０が嵌め込まれ、保持されている。
底蓋５６にはまた、図中上面側にも嵌込凹所１０２が設けられ、そこにシール部材６８が嵌め込まれ、保持されている。
この嵌込凹所１０２にはまた、固定弁体４６の下面の下向きの突出部１０４が挿入され、シール部材６８を下向きに挟み込んでいる。
【００２９】
図３は、弁ユニット３０を上記の固定ナット４４のねじ込み前の状態で表している。この状態で弁ユニット３０が図１のハウジング２４内に挿入された上で、固定ナット４４がねじ込まれ、ケース本体５４に対して図中下向きの押込力が加えられる。
このときケース本体５４が底蓋５６に対し相対的に下向きに移動し、そして図１に示す最終の組付状態で、係止爪６０が係止孔５８の上下の中間位置に位置した状態となる。
【００３０】
即ちこの実施形態では、底蓋５６に対して上側のケース本体５４が相対的に図中下向きに移動可能とされている。
而して固定ナット４４にてケース本体５４が下向きに押し付けられた状態の下でシール部材７０が弾性圧縮し、底蓋５６と底部２８との間を水密にシールする。
【００３１】
更に固定弁体４６が底蓋５６に対して図中下向きに相対移動し、シール部材６８を弾性圧縮させる。シール部材６８は、その弾性圧縮力に基づいて底蓋５６と固定弁体４６との間を水密にシールする。
またシール部材７０，６８は弾性圧縮による反発力を図中上向きに及ぼし、固定弁体４６を可動弁体４８に押圧して、その押圧作用により固定弁体４６と可動弁体４８との接触面（摺動面）を密着状態として、その密着面を水密シールする。
【００３２】
図２に示しているように、上記のディスクキャップ５０は略円板状をなしており、その下面の外周部且つ周方向の複数個所から係合片１０６が下向きに突出せしめられている。
一方セラミックディスクから成る可動弁体４８には、その上端外周部の複数個所、即ち係合片１０６に対応した複数個所に係合凹部１０８が設けられており、そこにディスクキャップ５０の係合片１０６が下向きに係入させられている。
そしてこれら係合片１０６と係合凹部１０８との係合作用により、ディスクキャップ５０と可動弁体４８とが一体に移動するようになしてある。
【００３３】
ディスクキャップ５０にはまた、その上面に且つ中心から偏心した位置に、後述の駆動レバー８４における係合凸部８８との係合用の係合凹部９０が、また外周部の位置に、ケース本体５４側の係合凸部１１２との係合用の、平面形状が長方形状をなす係合凹部１１０が設けられている。
尚係合凹部９０は、平面形状が多角形状（ここでは８角形状）をなしている。
【００３４】
図３及び図４において、７２は後述する駆動レバー８４の支持体としての働きを有する回転体で、弁ケース５２内部に回転可能に組み込まれている。
回転体７２は円筒状をなしており、その下端に径方向外方に環状に張り出したフランジ部７４を有している。また図２に示しているように後述の支持ピン８６を保持する貫通の保持孔７５を円筒状の周壁に有している。
一方弁ケース５２、詳しくはケース本体５４は、回転体７２の外周面に相対回転可能に外嵌状態に嵌合する円筒状の立上り壁７６を上部に有しており、またこの立上り壁７６に続く下側部分が径方向外方に環状に張り出した肩部７８とされている。
【００３５】
ここで立上り壁７６は、支持ピン８６が回転体７２から抜けるのを防止する抜け防止壁としての働きをなしている。
また肩部７８は、その下面の一部が回転体７２におけるフランジ部７４の上面に回転可能に接触せしめられている。
【００３６】
このケース本体５４を下向きに押圧する上記の固定ナット４４は、図１に示しているようにハウジング２４における周壁２６に嵌合する部分の内周面に雌ねじを有し、その雌ねじにおいて周壁２６の上端部外周面の雄ねじにねじ込まれ、そのねじ込みによる押込力をケース本体５４に対して、即ち弁ユニット５２に対して下向きに及ぼしている。
【００３７】
この固定ナット４４には、ケース本体５４における上記の肩部７８を下向きに押圧する押圧部８０が周方向に円環状に設けられている。更にこの押圧部８０に続く上側に、固定ナット４４における上記の雌ねじ部よりも小径に形成された工具係合部８２を有している。ここで工具係合部８２は平面形状が６角形状をなしている。
【００３８】
図３及び図４において、８４は駆動レバーで上下中間部が、即ち軸方向の両端間の中間部が、紙面と直交方向に配向された金属製の支持ピン８６を介して回転体７２に連結されている。
駆動レバー８４は、支持ピン８６の軸線周りに回転可能であり、またその軸線と直交方向である上下方向の、回転体７２の軸線周りに回転体７２とともに回転可能である。
【００３９】
駆動レバー８４には、その下端部に外周面が部分球面状をなす係合凸部８８が一体に設けられており、その係合凸部８８が、上記のディスクキャップ５０における係合凹部９０に係入せしめられている。
そしてこの係合凸部８８と係合凹部９０との係合作用により、ディスクキャップ５０及び可動弁体４８が、駆動レバー８４の下端部と一体移動するようになっている。
【００４０】
駆動レバー８４はまた、その上端部が雌ねじ孔９１への固定ビス８９（図１参照）のねじ込みにより、レバーハンドル１８に固定され、上端部がレバーハンドル１８と一体移動するようになっている。
この実施形態では、レバーハンドル１８を図中上下方向に回動操作すると、駆動レバー８４が支持ピン８６の軸線周りに回転運動してディスクキャップ５０及び可動弁体４８を図３及び図４中左右方向に駆動し、吐止水及び水量調節動作を行わせる。
【００４１】
一方レバーハンドル１８を図１中紙面と直角方向に回動操作すると、駆動レバー８４が回転体７２とともに、回転体７２の軸線周りに回転体７２とともに回転運動し、これによりディスクキャップ５０及び可動弁体４８を対応する方向に移動させて吐水の温度調節動作を行わせる。
【００４２】
この実施形態では、図３及び図４に示しているように、ケース本体５４の外周部に、下向きに突出する係合凸部１１２が設けられており、この係合凸部１１２が、ディスクキャップ５０における外周部の位置の上記の係合凹部１１０に係入せしめられ、それら係合凸部１１２と係合凹部１１０とが係合せしめられている。
この結果、ディスクキャップ５０はこの係合凸部１１２を支点として回転運動し、また係合凸部１１２に対して摺動運動する。
【００４３】
図６及び図７は、吐止水及び水量調節、更に温度調節を行う際のディスクキャップ５０の動き、つまり可動弁体４８の動作を表している。
図６（Ｂ）は湯水等量混合状態、即ち可動弁体４８及びディスクキャップ５０が回転方向において中立位置にあり、且つレバーハンドル１８が全開操作されたときの状態を表している。
この状態からレバーハンドル１８を閉側に操作すると、駆動レバー８４における下端部の係合凸部８８の中心Ｏ２が、ケース本体５４の中心Ｏ１に向って図中上向きに移動し（レバーハンドル１８の全閉操作状態で、係合凸部８８はケース本体５４の中心に位置する）、このときディスクキャップ５０及び可動弁体４８は、回転運動することなく係合凸部１１２と係合凹部１１０とに案内されてそのまま図中上向きに移動し、図６（Ａ）に示した状態に到る。
【００４４】
その際、図６（Ａ）及び（Ｂ）の（ロ）に示す固定弁体４６の図中左側の湯の流入口６２及び右側の水の流入口６２は、ディスクキャップ５０及び可動弁体４８の図中上向きの移動とともに開度が漸次減少し、そして図６（Ａ）に示す全閉状態の下で、それら湯側及び水側の各流入口６２がともに全閉状態となる。即ちここにおいて止水が行われる。
【００４５】
一方図７（Ａ）は、図中右側の水の流入口６２を全開としたときの状態を表しており、この状態からレバーハンドル１８を閉操作すると、駆動レバー８４における下端部の係合凸部８８の中心Ｏ２がケース本体５４の中心Ｏ１に向って図中一点鎖線で示す方向に移動する。
【００４６】
このとき、ディスクキャップ５０及び可動弁体４８は、図７（Ａ）（イ）中矢印で示すように、係合凸部１１２を支点として係合凸部１１２周りに回転運動しつつ、図中上向きに係合凸部１１２に対してスライド運動（摺動運動）し、そして最終的に図６（Ａ）に示す閉状態に到る。
【００４７】
図７（Ｂ）は、湯側の流入口６２を全開としたときの状態を表しており、この場合においてもレバーハンドル１８を閉操作すると、ディスクキャップ５０及び可動弁体４８が、係合凸部１１２を支点として同図中矢印で示す方向に回転運動しつつスライド運動し、最終的に図６（Ａ）に示す閉状態に到る。
【００４８】
つまりこの実施形態では、開弁状態でディスクキャップ５０及び可動弁体４８が何れの位置に位置していても、また何れの方向（回転方向）を向いていても、レバーハンドル１８を閉操作すると、ディスクキャップ５０及び可動弁体４８が図６（Ａ）に示す一定の位置及び向きに戻される。
【００４９】
従来のシングルレバー水栓の場合、レバーハンドル１８を操作したとき、可動弁体はこれに対応して移動する駆動レバー８４の下端部の係合凸部と同方向に平行移動するのみであり（回転運動を伴わないで）、止水状態において可動弁体は様々な位置に位置し、また様々な向きを向いた状態となる。
【００５０】
従来のシングルレバー水栓では、その様々な位置及び向きの下で止水を行わなければならないため、固定弁体と可動弁体との摺動面におけるシール面積を拡く確保しておくことが必要であった。
【００５１】
しかるにこの実施形態では、可動弁体４８が最終の止水位置で常に同一位置且つ同一の向きとなるため、摺動面におけるシール面積を小さくすることが可能であり、その結果として弁ユニット３０をコンパクトに構成することができる。
【００５２】
図３（及び図２）に示しているように、この実施形態では可動弁体４８における混合室６６が、固定弁体４６と可動弁体４８との各摺動面から図中上向きに起立する縦の壁１１４と、その上端の天井部１１６とを有する形状をなしている。
ここで縦の壁１１４は摺動面から図中直角上向きに立ち上がる壁とされている。
【００５３】
図５に詳しく示しているように、混合室６６には、固定弁体４６における水，湯の各流入口６２の側の部分を含む縦の壁１１４の全周面に亘って、摺動面から上向きに延びる凸条１１８が周方向に一定ピッチで複数設けられている。
ここで凸条１１８は摺動面から直角に図中上向きに延びる形状となしてあるが、場合によって若干傾斜していても良い。
【００５４】
この実施形態において、各凸条１１８は図５（Ｂ）に示しているように断面形状が三角形状の山形状をなしており、その高さｈがここでは０．５ｍｍとされている。
また図５（Ｂ）中角度θが９０°とされている。
図５（Ａ）に示しているように、各凸条１１８は縦の壁１１４の内面から混合室６６内部に向って直角に突出している。
図５（Ａ）に示しているように、この実施形態において混合室６６は平面形状が三角形状をなしており、従って三角形の各辺ごとの凸条１１８は互いに異なった向きをなしている。
この実施形態ではまた、これら凸条１１８のそれぞれが、図３及び図２に明らかに示しているように混合室６６の下端から図中上向きに延びている。
【００５５】
この実施形態の場合、固定弁体４６の水，湯の流入口６２を通過した水，湯は、一旦可動弁体４８の底面（摺動面）に勢い良く当った後、可動弁体４８の底面を回り込んで混合室６６へと流入する。そして水と湯とが混合室６６で混合され、固定弁体４６の流出口６４を通じて流出する。
【００５６】
而して固定弁体４８の底面に勢い良く当った後、その底面を回り込んで水と湯との流れが混合室４８に流入する際、その流れは混合室６６の縦の壁１１４に沿って、その下端から図中上向きに混合室６６に流れ込む。
その際、混合室６６の縦の壁１１４に沿って設けられた複数の凸条１１８が、その流れを図中上向きに案内し、流れを整える働き即ち整流作用を行う。
【００５７】
以上のような本実施形態によれば、吐水時における通水音を効果的に防止ないし軽減することができる。
【００５８】
また本実施形態によれば、混合室６６の縦の壁１１４の内面に沿って凸条１１８を設けておくだけでよく、従来のようにメッシュ部材を混合室６６に設けなくても良いため、通水音低減のために別途の部材を特に必要としたり、これを可動弁体４８に組み付けたりする必要もない。
またそのメッシュ部材に付着した微細な砂等が可動弁体４８と固定弁体４６との摺動面に噛み込んで、それら弁体を傷付けてしまうといった恐れもない。
またそのようなメッシュ部材を設けることによって、可動弁体４８及び固定弁体４６が大型化してしまう問題も解消することができる。
【００５９】
本実施形態では、上記のように凸条１１８が混合室６６の摺動面側の下端から縦の壁１１４の内面に沿って上向きに設けてある。
混合室６６の縦の壁１１４の下端は、固定弁体４６の流入口６２を通過し、可動弁体４８の底面に当った水，湯の流れが混合室６６に入り込んで乱流化する始まりの部位であり、従って流れの整流部となる凸条１１８を、その下端の位置から延出させておくことで、混合室６６内に流れ込む水，湯の流れを初期から整流化し得て、混合室６６内における乱流化を効率高く抑制することが可能となる。
【００６０】
以上本発明の実施形態を詳述したがこれはあくまで一例示である。
例えば上記実施形態では混合室の縦の壁に沿って凸条を設けているが、場合によって凹条を設けるといったことも可能である。
また上記例示したシングルレバー水栓の形態及び構造はあくまで一例で、本発明は他の様々な形態ないし構造のシングルレバー水栓に適用することも可能である等、本発明はその趣旨を逸脱しない範囲において種々変更を加えた形態で構成可能である。
【図面の簡単な説明】
【００６１】
【図１】本発明の一実施形態であるシングルレバー水栓を示した図である。
【図２】同実施形態における弁ユニットを分解して駆動レバーとともに示した図である。
【図３】同実施形態における弁ユニットを閉弁状態で示した断面図である。
【図４】同実施形態における弁ユニットを開弁状態で示した断面図である。
【図５】同実施形態における可動弁体の混合室の断面図である。
【図６】同実施形態の作用説明図である。
【図７】同実施形態の図５とは異なった状態の作用説明図である。
【符号の説明】
【００６２】
１０  シングルレバー水栓
１８  レバーハンドル
４６  固定弁体
４８  可動弁体
６２  流入口
６４  流出口
６６  混合室
１１４  縦の壁
１１６  天井部
１１８  凸条
【図１】
2010084797.tif 000003
【図２】
2010084797.tif 000004
【図３】
2010084797.tif 000005
【図４】
2010084797.tif 000006
【図５】
2010084797.tif 000007
【図６】
2010084797.tif 000008
【図７】
2010084797.tif 000009